(57)【特許請求の範囲】
【請求項１】
所定距離内に存在する通信相手と非接触通信を行う非接触通信装置との間、および、前記非接触通信装置の識別子に基づいてその設置場所を特定可能な位置情報を取得してその位置情報に基づいて選択された選択情報を配信する配信装置との間で、それぞれ通信を行う情報処理装置において、
前記情報処理装置が前記所定距離内に移動したとき、前記非接触通信装置と非接触通信を行い、前記配信装置にアクセスするためのアクセス情報、前記非接触通信装置の前記識別子、および前記非接触通信装置の設置場所のサービス事業者を特定するサービスＩＤを含むメッセージを取得する取得手段と、
前記情報処理装置が前記所定距離外に移動したときまたは前記非接触通信装置により制御がなされたとき、前記配信装置との通信を可能にする第１の制御を行い、前記配信装置へのアクセスが指示されたとき、前記取得手段により取得された前記メッセージに含まれる前記アクセス情報に基づいて、前記配信装置にアクセスして、前記取得手段により取得された前記メッセージに含まれる前記識別子および前記サービスＩＤを送信する第２の制御を行い、その識別子およびサービスＩＤに対して、前記識別子に対応する前記選択情報が表示される領域と、前記サービスＩＤにより特定される前記サービス事業者に関する情報が表示される領域とが含まれるウェブページのデータが前記配信装置から配信されてきたとき、前記データを受信して前記ウェブページを提示する第３の制御を行う制御手段と
を備える情報処理装置。
【請求項２】
前記非接触通信装置は、前記選択情報の提示とは別用途で前記設置場所に設置されており、
前記別用途のため前記情報処理装置が前記所定距離内に移動したとき、前記取得手段は、前記メッセージを取得して、前記制御手段は、前記第１の制御乃至前記第３の制御を行う
請求項１に記載の情報処理装置。
【請求項３】
複数の前記非接触通信装置が、異なる設置場所にそれぞれ設置されており、
設置場所の違いによって、前記選択情報として選択される情報が異なっており、
前記配信装置は、前記複数の非接触通信装置のうちの、前記情報処理装置が前記所定距離内に移動した非接触通信装置の設置場所を特定可能な前記位置情報を取得してその位置情報に基づいて選択された情報を前記選択情報として、前記データを前記情報処理装置に送信し、
前記制御手段は、そのデータを受信して前記ウェブページを提示する前記第３の制御を行う
請求項１に記載の情報処理装置。
【請求項４】
所定距離内に存在する通信相手と非接触通信を行う非接触通信装置との間、および、前記非接触通信装置の識別子に基づいてその設置場所を特定可能な位置情報を取得してその位置情報に基づいて選択された選択情報を配信する配信装置との間で、それぞれ通信を行う情報処理装置の情報処理方法において、
前記情報処理装置が前記所定距離内に移動したとき、前記非接触通信装置と非接触通信を行い、前記配信装置にアクセスするためのアクセス情報、前記非接触通信装置の前記識別子、および前記非接触通信装置の設置場所のサービス事業者を特定するサービスＩＤを含むメッセージを取得し、
前記情報処理装置が前記所定距離外に移動したときまたは前記非接触通信装置により制御がなされたとき、前記配信装置との通信を可能にし、
前記配信装置へのアクセスが指示されたとき、取得された前記メッセージに含まれる前記アクセス情報に基づいて、前記配信装置にアクセスして、取得された前記メッセージに含まれる前記識別子および前記サービスＩＤを送信し、
その識別子およびサービスＩＤに対して、前記識別子に対応する前記選択情報が表示される領域と、前記サービスＩＤにより特定される前記サービス事業者に関する情報が表示される領域とが含まれるウェブページのデータが前記配信装置から配信されてきたとき、前記データを受信して前記ウェブページを提示する
ステップを含む情報処理方法。
【請求項５】
所定距離内に存在する通信相手と非接触通信を行う非接触通信装置との間、および、前記非接触通信装置の識別子に基づいてその設置場所を特定可能な位置情報を取得してその位置情報に基づいて選択された選択情報を配信する配信装置との間で、それぞれ通信を行う情報処理装置を制御するコンピュータに、
前記情報処理装置が前記所定距離内に移動したとき、前記非接触通信装置と非接触通信を行い、前記配信装置にアクセスするためのアクセス情報、前記非接触通信装置の前記識別子、および前記非接触通信装置の設置場所のサービス事業者を特定するサービスＩＤを含むメッセージを取得し、
前記情報処理装置が前記所定距離外に移動したときまたは前記非接触通信装置により制御がなされたとき、前記配信装置との通信を可能にし、
前記配信装置へのアクセスが指示されたとき、取得された前記メッセージに含まれる前記アクセス情報に基づいて、前記配信装置にアクセスして、取得された前記メッセージに含まれる前記識別子および前記サービスＩＤを送信し、
その識別子およびサービスＩＤに対して、前記識別子に対応する前記選択情報が表示される領域と、前記サービスＩＤにより特定される前記サービス事業者に関する情報が表示される領域とが含まれるウェブページのデータが前記配信装置から配信されてきたとき、前記データを受信して前記ウェブページを提示する
ステップを含む制御処理を実行させるプログラム。
【請求項６】
情報を配信する情報処理装置において、
非接触通信装置の設置場所の所定距離内に携帯端末が移動したとき、前記非接触通信装置と前記携帯端末との間で非接触通信が行われ、前記情報処理装置にアクセスするためのアクセス情報、前記非接触通信装置の識別子、および前記非接触通信装置の設置場所のサービス事業者を特定するサービスＩＤを含むメッセージが前記非接触通信装置から前記携帯端末に送信され、そのメッセージに含まれる前記アクセス情報に基づいてアクセスされ、そのメッセージに含まれる前記識別子および前記サービスＩＤが前記情報処理装置に送信されてきた場合、その識別子およびサービスＩＤを取得する取得手段と、
前記取得手段により取得された前記識別子に基づいて、前記非接触通信装置の前記設置場所を特定可能な位置情報を取得する取得手段と、
前記取得手段により取得された前記位置情報に基づいて、複数の情報の中から選択された情報を選択情報として、前記選択情報が表示される領域と、前記サービスＩＤにより特定される前記サービス事業者に関する情報が表示される領域とが含まれるウェブページのデータを前記携帯端末に配信する配信手段と
を備える情報処理装置。
【請求項７】
複数の前記非接触通信装置が、異なる設置場所にそれぞれ設置されており、
設置場所の違いによって、前記選択情報として選択される情報が異なっており、
前記取得手段は、前記複数の非接触通信装置のうちの、前記携帯端末が前記所定距離内に移動した非接触通信装置の識別子を取得し、
前記取得手段は、その識別子に基づいて、前記携帯端末が前記所定距離内に移動した前記非接触通信装置の設置場所を特定可能な前記位置情報を取得して、
前記配信手段は、その位置情報に基づいて選択された情報を前記選択情報として、前記データを前記携帯端末に配信する
請求項６に記載の情報処理装置。
【請求項８】
情報を配信する情報処理装置の情報処理方法において、
非接触通信装置の設置場所の所定距離内に携帯端末が移動したとき、前記非接触通信装置と前記携帯端末との間で非接触通信が行われ、前記情報処理装置にアクセスするためのアクセス情報、前記非接触通信装置の識別子、および前記非接触通信装置の設置場所のサービス事業者を特定するサービスＩＤを含むメッセージが前記非接触通信装置から前記携帯端末に送信され、そのメッセージに含まれる前記アクセス情報に基づいてアクセスされ、そのメッセージに含まれる前記識別子および前記サービスＩＤが前記情報処理装置に送信されてきた場合、その識別子およびサービスＩＤを取得し、
取得された前記識別子に基づいて、前記非接触通信装置の前記設置場所を特定可能な位置情報を取得し、
その位置情報に基づいて、複数の情報の中から選択された情報を選択情報として、前記選択情報が表示される領域と、前記サービスＩＤにより特定される前記サービス事業者に関する情報が表示される領域とが含まれるウェブページのデータを前記携帯端末に配信する
ステップを含む情報処理方法。
【請求項９】
情報を配信する情報処理装置を制御するコンピュータに、
非接触通信装置の設置場所の所定距離内に携帯端末が移動したとき、前記非接触通信装置と前記携帯端末との間で非接触通信が行われ、前記情報処理装置にアクセスするためのアクセス情報、前記非接触通信装置の識別子、および前記非接触通信装置の設置場所のサービス事業者を特定するサービスＩＤを含むメッセージが前記非接触通信装置から前記携帯端末に送信され、そのメッセージに含まれる前記アクセス情報に基づいてアクセスされ、そのメッセージに含まれる前記識別子および前記サービスＩＤが前記情報処理装置に送信されてきた場合、その識別子およびサービスＩＤを取得し、
取得された前記識別子に基づいて、前記非接触通信装置の前記設置場所を特定可能な位置情報を取得し、
その位置情報に基づいて、複数の情報の中から選択された情報を選択情報として、前記選択情報が表示される領域と、前記サービスＩＤにより特定される前記サービス事業者に関する情報が表示される領域とが含まれるウェブページのデータを前記携帯端末に配信する
ステップを含む制御処理を実行させるプログラム。
【請求項１０】
非接触通信機能と通信機能とを有する携帯端末と、前記非接触通信機能により前記携帯端末と非接触通信をする非接触通信装置と、前記通信機能により前記携帯端末と通信をして情報を配信する配信装置とを含む情報処理システムにおいて、
前記非接触通信装置の設置場所の所定距離内に前記携帯端末が移動したとき、前記非接触通信装置は、前記携帯端末と非接触通信を行い、前記配信装置にアクセスするためのアクセス情報、前記非接触通信装置の識別子、および前記非接触通信装置の設置場所のサービス事業者を特定するサービスＩＤを含むメッセージを生成し、前記携帯端末に送信し、
前記携帯端末は、前記メッセージを取得し、自身が前記所定距離外に移動したときまたは前記非接触通信装置により制御がなされたとき、前記配信装置との通信を可能にする準備処理を実行し、前記配信装置へのアクセスが指示されたとき、取得された前記メッセージに含まれる前記アクセス情報に基づいて、前記配信装置にアクセスして、取得された前記メッセージに含まれる前記識別子および前記サービスＩＤを送信し、
前記配信装置は、前記識別子および前記サービスＩＤを取得し、その識別子に基づいて、前記非接触通信装置の前記設置場所を特定可能な位置情報を取得して、その位置情報に基づいて、複数の情報の中から選択された情報を選択情報として、前記選択情報が表示される領域と、前記サービスＩＤにより特定される前記サービス事業者に関する情報が表示される領域とが含まれるウェブページのデータを前記携帯端末に配信し、
前記携帯端末は、前記データを取得して、前記ウェブページを提示する
情報処理システム。
【発明の詳細な説明】
【技術分野】
【０００１】
本発明は、情報処理装置および方法、プログラム、並びに情報処理システムに関し、特に、位置情報に応じた広告情報等の配信が迅速にできるようになった情報処理装置および方法、プログラム、並びに情報処理システムに関する。
【背景技術】
【０００２】
従来、位置情報に応じた広告情報等の配信サービスの実現化が望まれるようになっている。
【０００３】
かかる配信サービスを実現するためには、位置情報の取得が必要である。このような位置情報を取得する従来の手法として、携帯電話に内蔵されたGPSや携帯電話キャリアの基地局を利用する等の手法が例えば特許文献１に開示されている。
【特許文献１】特開２００３−９１６７８号公報
【発明の開示】
【発明が解決しようとする課題】
【０００４】
しかしながら、これらの従来の手法では、位置情報を取得する度にかなりの通信時間が発生し、その結果、位置情報に応じた広告情報等がユーザに配信されてくるまでに長時間かかる、という問題が生じていた。
【０００５】
本発明は、このような状況に鑑みてなされたものであり、位置情報に応じた広告情報等の配信を迅速にできるようにするものである。
【課題を解決するための手段】
【０００６】
本発明の一側面の第１の情報処理装置は、所定距離内に存在する通信相手と非接触通信を行う非接触通信装置との間、および、前記非接触通信装置の識別子に基づいてその設置場所を特定可能な位置情報を取得してその位置情報に基づいて選択された選択情報を配信する配信装置との間で、それぞれ通信を行う情報処理装置であって、前記情報処理装置が前記所定距離内に移動したとき、前記非接触通信装置と非接触通信を行い、前記配信装置にアクセスするためのアクセス情報、前記非接触通信装置の前記識別子、および前記非接触通信装置の設置場所のサービス事業者を特定するサービスＩＤを含むメッセージを取得する取得手段と、前記情報処理装置が前記所定距離外に移動したときまたは前記非接触通信装置により制御がなされたとき、前記配信装置との通信を可能にする第１の制御を行い、前記配信装置へのアクセスが指示されたとき、前記取得手段により取得された前記メッセージに含まれる前記アクセス情報に基づいて、前記配信装置にアクセスして、前記取得手段により取得された前記メッセージに含まれる前記識別子および前記サービスＩＤを送信する第２の制御を行い、その識別子およびサービスＩＤに対して、前記識別子に対応する前記選択情報が表示される領域と、前記サービスＩＤにより特定される前記サービス事業者に関する情報が表示される領域とが含まれるウェブページのデータが前記配信装置から配信されてきたとき、前記データを受信して前記ウェブページを提示する第３の制御を行う制御手段とを備える。
【０００７】
前記非接触通信装置は、前記選択情報の提示とは別用途で前記設置場所に設置されており、前記別用途のため前記情報処理装置が前記所定距離内に移動したとき、前記取得手段は、前記メッセージを取得して、前記制御手段は、前記第１の制御乃至前記第３の制御を行う。
【０００８】
複数の前記非接触通信装置が、異なる設置場所にそれぞれ設置されており、設置場所の違いによって、前記選択情報として選択される情報が異なっており、前記配信装置は、前記複数の非接触通信装置のうちの、前記情報処理装置が前記所定距離内に移動した非接触通信装置の設置場所を特定可能な前記位置情報を取得してその位置情報に基づいて選択された情報を前記選択情報として、前記データを前記情報処理装置に送信し、前記制御手段は、そのデータを受信して前記ウェブページを提示する第３の制御を行う。
【０００９】
本発明の一側面の第１の情報処理方法およびプログラムは、上述した本発明の一側面の第１の情報処理装置に対応する情報処理およびプログラムである。
【００１０】
本発明の一側面の第１の情報処理装置および方法並びにプログラムにおいては、所定距離内に存在する通信相手と非接触通信を行う非接触通信装置との間、および、前記非接触通信装置の識別子に基づいてその設置場所を特定可能な位置情報を取得してその位置情報に基づいて選択された選択情報を配信する配信装置との間で、第１の情報処理装置によって、次のような通信処理が実行される。即ち、第１の情報処理装置が前記所定距離内に移動したとき、前記非接触通信装置と非接触通信が行われ、前記配信装置にアクセスするためのアクセス情報、前記非接触通信装置の前記識別子、および前記非接触通信装置の設置場所のサービス事業者を特定するサービスＩＤを含むメッセージが取得され、前記第１の情報処理装置が前記所定距離外に移動したときまたは前記非接触通信装置により制御がなされたとき、前記配信装置との通信が可能となり、前記配信装置へのアクセスが指示されたとき、取得された前記メッセージに含まれる前記アクセス情報に基づいて、前記配信装置に対するアクセスがなされ、取得された前記メッセージに含まれる前記識別子および前記サービスＩＤが送信され、その識別子およびサービスＩＤに対して、前記識別子に対応する前記選択情報が表示される領域と、前記サービスＩＤにより特定される前記サービス事業者に関する情報が表示される領域とが含まれるウェブページのデータが前記配信装置から配信されてきたとき、前記データが受信されて前記ウェブページが提示される。
【００１５】
本発明の一側面の第２の情報処理装置は、情報を配信する情報処理装置であって、非接触通信装置の設置場所の所定距離内に携帯端末が移動したとき、前記非接触通信装置と前記携帯端末との間で非接触通信が行われ、前記情報処理装置にアクセスするためのアクセス情報、前記非接触通信装置の識別子、および前記非接触通信装置の設置場所のサービス事業者を特定するサービスＩＤを含むメッセージが前記非接触通信装置から前記携帯端末に送信され、そのメッセージに含まれる前記アクセス情報に基づいてアクセスされ、そのメッセージに含まれる前記識別子および前記サービスＩＤが前記情報処理装置に送信されてきた場合、その識別子およびサービスＩＤを取得する取得手段と、前記取得手段により取得された前記識別子に基づいて、前記非接触通信装置の前記設置場所を特定可能な位置情報を取得する取得手段と、前記取得手段により取得された前記位置情報に基づいて、複数の情報の中から選択された情報を選択情報として、前記選択情報が表示される領域と、前記サービスＩＤにより特定される前記サービス事業者に関する情報が表示される領域とが含まれるウェブページのデータを前記携帯端末に配信する配信手段とを備える。
【００１６】
複数の前記非接触通信装置が、異なる設置場所にそれぞれ設置されており、設置場所の違いによって、前記選択情報として選択される情報が異なっており、前記取得手段は、前記複数の非接触通信装置のうちの、前記携帯端末が前記所定距離内に移動した非接触通信装置の識別子を取得し、前記取得手段は、その識別子に基づいて、前記携帯端末が前記所定距離内に移動した前記非接触通信装置の設置場所を特定可能な前記位置情報を取得して前記配信手段は、その位置情報に基づいて選択された情報を前記選択情報として、前記データを前記携帯端末に配信する。
【００１７】
本発明の一側面の第３の情報処理方法およびプログラムは、上述した本発明の一側面の第３の情報処理装置に対応する情報処理およびプログラムである。
【００１８】
本発明の一側面の第２の情報処理装置および方法並びにプログラムにおいては、第２の情報処理装置によって、次のようにして情報が配信される。即ち、非接触通信装置の設置場所の所定距離内に携帯端末が移動したとき、前記非接触通信装置と前記携帯端末との間で非接触通信が行われ、前記情報処理装置にアクセスするためのアクセス情報、前記非接触通信装置の識別子、および前記非接触通信装置の設置場所のサービス事業者を特定するサービスＩＤを含むメッセージが前記非接触通信装置から前記携帯端末に送信され、そのメッセージに含まれる前記アクセス情報に基づいてアクセスされ、そのメッセージに含まれる前記識別子および前記サービスＩＤが前記第２の情報処理装置に送信されてきた場合、その識別子およびサービスＩＤが取得され、取得された前記識別子に基づいて、前記非接触通信装置の前記設置場所を特定可能な位置情報が取得されその位置情報に基づいて、複数の情報の中から選択された情報が選択情報として、前記選択情報が表示される領域と、前記サービスＩＤにより特定される前記サービス事業者に関する情報が表示される領域とが含まれるウェブページのデータが前記携帯端末に配信される。
【００１９】
本発明の情報処理システムは、非接触通信機能と通信機能とを有する携帯端末と、前記非接触通信機能により前記携帯端末と非接触通信をする非接触通信装置と、前記通信機能により前記携帯端末と通信をして情報を配信する配信装置とを含む情報処理システムであって、前記非接触通信装置の設置場所の所定距離内に前記携帯端末が移動したとき、前記非接触通信装置は、前記携帯端末と非接触通信を行い、前記配信装置にアクセスするためのアクセス情報、前記非接触通信装置の識別子、および前記非接触通信装置の設置場所のサービス事業者を特定するサービスＩＤを含むメッセージを生成し、前記携帯端末に送信し、前記携帯端末は、前記メッセージを取得し、自身が前記所定距離外に移動したときまたは前記非接触通信装置により制御がなされたとき、前記配信装置との通信を可能にする準備処理を実行し、前記配信装置へのアクセスが指示されたとき、取得された前記メッセージに含まれる前記アクセス情報に基づいて、前記配信装置にアクセスして、取得された前記メッセージに含まれる前記識別子および前記サービスＩＤを送信し、前記配信装置は、前記識別子および前記サービスＩＤを取得し、その識別子に基づいて、前記非接触通信装置の前記設置場所を特定可能な位置情報を取得しその位置情報に基づいて、複数の情報の中から選択された情報を選択情報として、前記選択情報が表示される領域と、前記サービスＩＤにより特定される前記サービス事業者に関する情報が表示される領域とが含まれるウェブページのデータを前記携帯端末に配信し、前記携帯端末は、前記データを取得して、前記ウェブページを提示する。
【００２０】
本発明の情報処理システムにおいては、前記非接触通信装置の設置場所の所定距離内に前記携帯端末が移動したとき、前記非接触通信装置によって、前記携帯端末と非接触通信を行い、前記配信装置にアクセスするためのアクセス情報、前記非接触通信装置の識別子、および前記非接触通信装置の設置場所のサービス事業者を特定するサービスＩＤを含むメッセージを生成し、前記携帯端末に送信する、といった一連の処理が実行される。すると、前記携帯端末によって、前記メッセージを取得し、自身が前記所定距離外に移動したときまたは前記非接触通信装置により制御がなされたとき、前記配信装置との通信を可能にする準備処理を実行し、前記配信装置へのアクセスが指示されたとき、取得された前記メッセージに含まれる前記アクセス情報に基づいて、前記配信装置にアクセスして、取得された前記メッセージに含まれる前記識別子および前記サービスＩＤを送信する、といった一連の処理が実行される。すると、前記配信装置によって、前記識別子および前記サービスＩＤを取得し、その識別子に基づいて、前記非接触通信装置の前記設置場所を特定可能な位置情報を取得してその位置情報に基づいて、複数の情報の中から選択された情報を選択情報として、前記選択情報が表示される領域と、前記サービスＩＤにより特定される前記サービス事業者に関する情報が表示される領域とが含まれるウェブページのデータを前記携帯端末に配信する、といった一連の処理が実行される。その結果、前記携帯端末によって、前記データが取得されて、前記ウェブページが提示される。
【発明の効果】
【００２１】
以上のごとく、本発明の一側面によれば、位置情報に応じた広告情報等の配信が迅速にできる。
【発明を実施するための最良の形態】
【００２２】
以下、図面を参照して、本発明が適用される情報処理システムの実施の形態について説明していく。
【００２３】
図１に示されるように、本実施の形態の情報処理システムは、リーダ／ライタ装置１１（以下、R/W１１と適宜略記する）、携帯端末１２、FNサーバ１３、および、広告情報提供サーバ１４を含むように構成されている。
【００２４】
R/W１１は、例えば本実施の形態では、会場や店舗に設置される。R/W１１は、スタンドアローンで動作が可能となるように、即ち 電源のみで動作可能となるように構成されている。よって、R/W１１は、 無人運用が可能となる。このため、R/W１１には、盗難防止用チェーンが取付可能とされている。R/W１１のリアクションとしては、例えば LEDやブザーによるリアクションが採用されており、それゆえ、画面は特に不要である。また、R/W１１は、ログ情報として、 日時、処理結果、R/WID（端末ID）、非接触ICチップID等の情報を保存できる構成を有している。なお、R/WIDや非接触ICチップIDについては、後述する。
【００２５】
なお、R/W１１の台数は、図１の例では１台とされているが、当然ながら１台に限定されず、複数台でも構わない。
【００２６】
携帯端末１２は、ユーザ１６により携帯されて利用される。携帯端末１２は、例えば非接触IC（IC:Integrated Circuit）カード内蔵携帯電話として構成されており、三者間通信機能を有している。ここで、三者間通信とは、R/W１１から携帯端末１２内の非接触ICカード(後述する図９の非接触IC１０２)を経由して、携帯端末１２上のコントローラ（後述する図９のコントローラ１０３）に対して命令を出す仕組みをいう。このような三者間通信機能を発揮させることで、例えば、本実施の形態では、図２等を用いて後述するように、Webブラウザを起動するなどの操作を外部のR/W１１から行うことが可能になる。 なお、「三者」とは、R/W１１、携帯端末１２内の非接触ICカード、および、携帯端末１２上のコントローラの３つを指す。なお、三者間通信機能の詳細については、図１２等を参照して後述する。
【００２７】
このように本実施の形態では、携帯端末１２は、三者間通信機能を利用して、R/W１１と非接触通信を行うことができる。また、携帯端末１２は、通常の無線通信機能を利用して、FNサーバ１３等と無線通信を行うこともできる。なお、携帯端末１２とFNサーバ１３等との無線通信の形態は特に限定されない。
【００２８】
なお、携帯端末１２の台数は、図１の例では１台とされているが、当然ながら１台に限定されず、複数台でも構わない。換言すると、ユーザも、図１のユーザ１６の一人に限定されず、当然ながら複数人であっても構わない。
【００２９】
携帯端末１２のさらなる詳細については、図９乃至図１２を参照して後述する。
【００３０】
FNサーバ１３は、携帯端末１２からアクセスを受けた場合、その携帯端末１２がかざされた（非接触通信を行った）R/W１１を識別し、その識別結果に基づいて、R/W１１の設置場所を示す位置情報を取得する。そして、FNサーバ１３は、その位置情報を広告情報提供サーバ１４に送信する。
【００３１】
FNサーバ１３の位置情報の取得手法としては、特に限定されず、例えば次の第１の手法乃至第３の手法を採用できる。即ち、第１の手法とは、R/WIDのみR/W１１に実装させ、FNサーバ１３で位置情報データベース（例えば後述する図１６参照）に基づき位置情報に変換する手法である。本実施の形態では、この第１の手法が採用されている。第２の手法とは、緯度経度情報などをR/W１１の内部に保持する手法である。第３の手法とは、R/W１１が(携帯網ではない)ネットワークを介してFNサーバ１３と繋がっており、位置情報が配信されるという手法である。
【００３２】
広告情報提供サーバ１４は、その位置情報で示されるR/W１１の設置場所の周辺の情報、例えば広告等の情報を検索し、それをFNサーバ１３に送信する。
【００３３】
FNサーバ１３は、広告情報提供サーバ１４から送信されてきた情報、例えば広告等の情報を、携帯端末１２に対して選択的に配信する。
【００３４】
なお、FNサーバ１３と広告情報提供サーバ１４との通信形態は特に限定されない。
【００３５】
また、FNサーバ１３の台数は、図１の例では１台とされているが、当然ながら１台に限定されず、複数台でも構わない。同様に、広告情報提供サーバ１４の台数は、図１の例では１台とされているが、当然ながら１台に限定されず、複数台でも構わない。
【００３６】
このように、本実施の形態では、FNサーバ１３は、位置情報データベース及びそれに基づいた広告配信システムのサーバとして機能している。これに対して、広告情報提供サーバ１４は、広告情報蓄積及び提供サーバとして機能している。
【００３７】
次に、図１の構成の情報処理システムの動作の概略について、図２を参照して説明する。
【００３８】
R/W １１は、携帯端末１２がかざされるのを常時待ち状態で待っているとする。この状態で、ステップＳ１において、ユーザ１６により携帯端末１２がR/W１１にかざされると、R/W１１は、携帯端末１２の非接触ICカード内のメモリとR/W１１の設定値とから必要な情報を取得する。
【００３９】
続けて、R/W１１は、三者間通信機能を発揮して、ステップＳ２において、携帯端末１２にメッセージ送信し、ステップＳ３において、携帯端末１２内でWebブラウザを起動させる。その際、R/W１１は、処理結果がOKかNGかの区別を明確にしたリアクション、例えば光や音によるリアクションを行うことができる。また、R/W１１は、携帯端末１２がかざされた結果を内部のメモリにログとして記録することもできる。
【００４０】
なお、以上のステップＳ１乃至Ｓ３の処理の詳細については、図１２を参照して後述する。
【００４１】
ここで、ステップＳ２の処理で送信されるメッセージについて説明する。
【００４２】
例えば本実施の形態では、図３に示されるようなメッセージが採用されている。
【００４３】
即ち、本実施の形態では、URL、非接触ICチップID、R/WID、およびサービスIDがその順番で並んで構成されるメッセージが採用されている。
【００４４】
URLとは、FNサーバ１３のサイトに接続するためのURLである。
【００４５】
非接触ICチップIDとは、携帯端末１２を一意に特定するための識別子である。本実施の形態では、非接触ICカードの製造番号が非接触ICチップIDとして採用されている。非接触ICチップIDは、ステップＳ１の処理でR/W１１にかざされた携帯端末１２から取得される。また、非接触ICチップIDは、FNサーバ１３のサイトでは問い合わせ対応用や将来のサービス提供のために使用される。具体的なパラメータ仕様としては例えば、Aが非接触ICチップIDを示すパラメータとされ、そのパラメータ値は、A=01234567のように数桁乃至十数桁の英数字で構成することができる。
【００４６】
R/WIDとは、R/W１１を一意に特定するための識別子であり、FNサーバ１３によって採番されて、予めR/W11に設定される。FNサーバ１３は、採番したR/WIDと、それにより特定されるR/W１１の位置情報とを対応付けて管理しいる（後述する図１６参照）。これにより、FNサーバ１３は、R/WIDから位置情報を割り出すことができる。具体的なパラメータ仕様としては例えば、BがR/WIDを示すパラメータとされ、そのパラメータ値は、B=00000014のように、数桁乃至十数桁の英数字で構成することができる。
【００４７】
サービスIDとは、R/W１１が設置される会場や店舗等のサービス事業者を特定するための識別子であり、FNサーバ１３によって採番されて、予めR/W１１に設定される。即ち、FNサーバ１３のサイトは、サービスIDから特定されるサービス事業者ごとにカスタマイズされたトップページ等を示すことになる。具体的なパラメータ仕様としては例えば、CがサービスIDを示すパラメータとされ、そのパラメータ値は、C=00000002のように、数桁乃至十数桁の英数字で構成することができる。
【００４８】
図２に戻り、このようなメッセージがステップＳ２の処理で送信され、ステップＳ３の処理でブラウザが起動されると、携帯端末１２の画面２１には、例えば、FNサーバ１３のサイトに接続するための画像２１Ａが表示される。
【００４９】
ユーザ１６が、携帯端末１２を操作してFNサーバ１３のサイトへの接続を指示すると、具体的には例えば、画像２１Ａの「はい」というリンク先URLをクリックすると、携帯端末１２は、ステップＳ４において、FNサーバ１３に対してhttpリクエストを送信する。このhttpリクエストには、ステップＳ２の処理で送信されたメッセージも含まれるとする。
【００５０】
ステップＳ５において、FNサーバ１３は、自身のサイトのトップページを携帯端末１２に表示すべく、httpレスポンスを携帯端末１２に対して送信する。
【００５１】
これにより、携帯端末１２の画面２１には、FNサーバ１３のサイトのトップページとして、例えば画像２１Ｂが表示される。なお、トップページの構成例は、図２の画像２１Ｂに特に限定されない。例えば、別のトップページの具体例を、図４や図５を参照して後述する。
【００５２】
ここで、画像２１Ｂに表示されている「お得情報」とは、R/W１１の設置場所の周辺の情報、具体的には周辺店舗情報（広告情報）であるとする。
【００５３】
この場合、ユーザ１６が、携帯端末１２を操作して「お得情報」の取得を指示すると、具体的には例えば、画像２１Ｂの「お得情報はこちら」という文字のうちの「こちら」というリンク先URLをクリックすると、携帯端末１２は、ステップＳ６において、FNサーバ１３に対してhttpリクエストを送信する。
【００５４】
FNサーバ１３は、このhttpリクエストを受けて、ステップＳ４の処理で受信したメッセージのうちのR/WIDからR/W１１を識別し、そのR/W１１の設置場所を特定して、その設置場所を示す位置情報を取得（解釈）する。即ち、後述する図１６に示されるように、各R/W１１毎に、そのR/WIDと、その設置場所とが対応付けられてFNサーバ１３によって管理されている。これにより、R/WIDから、R/W１１を識別し、その設置場所を特定し、その設置場所を位置情報として解釈することが可能になる。
【００５５】
ステップＳ７において、FNサーバ１３は、解釈した位置情報を広告情報提供サーバ１４に送信する。
【００５６】
ステップＳ８において、広告情報提供サーバ１４は、位置情報に基づいて周辺店舗情報（広告情報）を検索して、FNサーバ１３に送信する。
【００５７】
ステップＳ９において、FNサーバ１３は、自身のサイトの携帯端末１２上の表示を、周辺店舗情報（広告情報）の掲載サイトに遷移すべく、ステップＳ６のhttpリクエストに対する応答として、httpレスポンスを携帯端末１２に対して送信する。
【００５８】
これにより、携帯端末１２の画面２１には、周辺店舗情報（広告情報）の掲載サイトとして、例えば画像２１Ｃが表示される。即ち、図２の例では、「バーAAA」、「居酒屋BBB」、および「エステCCC」が、R/W１１の設置場所の周辺店舗情報（広告情報）として、携帯端末１２に表示されることになる。なお、周辺店舗情報（広告情報）の掲載サイトの構成例は、図２の画像２１Ｃに特に限定されない。例えば、かかる掲載サイトの別の具体例を、図５や図６の図面を参照して後述する。
【００５９】
なお、ユーザ１６が、携帯端末１２を操作して事業者サイト（FNサーバ１３のサイトとは別のサービス事業者のサイト）への接続を指示すると、具体的には例えば、画像２１Ｂの「事業者サイトはこちら」という文字のうちのリンク先URLをクリックすると、携帯端末１２は、ステップＳ１０において、サービス事業者のサイトに接続する。
【００６０】
次に、図４乃至図７を参照して、FNサーバ１３のサイトの具体的な画面構成例について説明していく。
【００６１】
図４と図５は、FNサーバ１３のサイトのトップページの画像の例を示している。
【００６２】
図４の画像２１Ｂ１は、CP領域とMS領域とから構成されている。一方、図５の画像２１Ｂ２は、CP領域、MS領域、および広告領域から構成されている。
【００６３】
FNサーバ１３は、メッセージに含まれるサービスIDに基づいて、図４の画像２１Ｂ１と、図５の画像２１Ｂ２とのうちのいずれか一方をトップページとして選択して、選択した方の画像をトップページとして携帯端末１２に表示させる。換言すると、サービスIDで特定されるサービス事業者、即ち、R/W１１が設置される会場や店舗等のサービス事業者は、携帯端末１２に表示させるトップページとして、図４の画像２１Ｂ１と、図５の画像２１Ｂ２とのうちのいずれか一方を自身の判断で選択することができる。
【００６４】
CP領域は、  サービスIDに基づいて動的に生成される領域であって、そのサービスIDで特定されるサービス事業者の支配下の領域である。ここで、ある者の支配下とは、その者の判断で画像の構成が変更可能であることを意味する。
【００６５】
例えば図４や図５の例では、CP領域には、 CPロゴ画像５１，６１、 テキスト文５２，６２、及び、リンク先URL５３，６３が含まれている。例えば本実施の形態では、 テキスト文は、全て合わせて、最大文字数35文字（全角）、最大行数3行となるようにCP領域が構成されている。また例えば本実施の形態では、リンク先は最大５個まで作成可能なようにCP領域が構成されている。
【００６６】
もっとも、図４や図５のCP領域は例示に過ぎず、例えば、  テキスト文やリンク先URL等は、サービスIDによっては生成されない場合もある。
【００６７】
MS領域は、FNサーバ１３の管理者の支配下の領域である。即ち、MS領域は、FNサーバ１３の管理者の判断で画像の構成が変更可能な領域である。
【００６８】
例えば図４のMS領域には、  テキスト文５４及びリンク先URL５５が含まれている。これに対して、図５のMS領域には、テキスト文６４のみが含まれ、リンク先URLは含まれていない。
【００６９】
もっとも、図４や図５のCP領域は例示に過ぎず、例えば、  テキスト文やリンク先URL等は、サービスIDによっては生成されない場合もある。
【００７０】
広告領域は、広告情報提供サーバ１４から配信される広告情報等、即ち、本実施の形態では、R/W１１の設置場所を示す位置情報に基づいて広告情報提供サーバ１４に選択された情報、具体的には例えば、図２でいう周辺店舗情報（広告情報）等を掲載する領域である。
【００７１】
広告領域は、ティッカー広告領域と、一般広告領域とにさらに区分される。
【００７２】
ティッカー広告領域は、ティッカーにより広告情報等を表示させる領域である。ティッカーとは、特定範囲内に文字列等を流して表示させる表示方式のことをいう。即ち、ティッカー広告領域内において、広告情報等を構成する文字列が流れて表示されることになる。なお、ティッカー広告領域の表示は必須ではなく、サービスIDに基づいて、ティッカーとして広告情報等を直接表示するか否かがFNサーバ１３によって判断される。また、ティッカーとして広告情報等を表示する場合も、その表示数は、FNサーバ１３によって可変できるようになされている。また、ティッカー広告領域の文字列を流さないで表示、即ち、静止表示させる構成を取ることも可能である。
【００７３】
一般広告領域は、広告情報等を静止表示させる領域である。広告情報等の表示数は、FNサーバ１３によって可変できるようになされている。
【００７４】
もっとも、広告情報等の表示数や表示種類等は、特に限定されず、例えば、位置情報データベース（例えば後述する図１６参照）に基づきS/NIDから変換される位置情報に応じて選択的に可変できるようにしてもよい。具体的には例えば、商業施設の位置情報では、ショップ情報の広告を増やす一方、ビジネス施設の位置情報では、ビジネス情報の広告を増やすことができる。また、都会の位置情報では、表示数を増やす一方、田舎の位置情報では、表示数を減らすこともできる。
【００７５】
さらにまた、例えば、広告情報等の表示数や表示種類等は、サービスIDに応じて選択的に可変できるようにしてもよい。換言すると、サービスIDは、位置情報以外の属性情報として利用することが可能であり、FNサーバ１３は、属性情報（サービスID）に基づいた選択的な情報配信も可能となる。
【００７６】
このような広告領域は、図５の例ではトップページの画像２１Ｂ２に含まれている。よって、トップページとして図５の例の画像２１Ｂ２が採用されている場合、図１の情報処理装置の動作は、図２の例と対応させて説明すると次のようになる。
【００７７】
即ち、図２のステップＳ４のhttpリクエストが行われると、先に、ステップＳ７の位置情報送信とステップＳ８の周辺店舗情報（広告情報）配信とが行われ、ステップＳ５のhttpレスポンスが行われる。すると、図２の画像２１Ｂの代わりに、図５の画像２１Ｂ２が携帯端末１２の画面２１に表示されることになる。なお、図５の画像２１Ｂ２の最下段の「もっと見る」というリンク先URLがクリックされると、ステップＳ６とＳ９の処理が実行されて、携帯端末１２の画面２１の表示が、画像２１Ｂ２から、図６の画像６２に遷移する（後述する図７参照）。
【００７８】
これに対して、図４の例では、広告領域はトップページの画像２１Ｂ１に含まれていない。よって、トップページとして図４の例の画像２１Ｂ１が採用されている場合、図１の情報処理装置の動作は、図２の例と対応させて説明すると次のようになる。
【００７９】
即ち、図２のステップＳ４のhttpリクエストが行われて、ステップＳ５のhttpレスポンスが行われると、図２の画像２１Ｂの代わりに、図４の画像２１Ｂ１が携帯端末１２の画面２１に表示されることになる。この状態で、ユーザ１６によってMS領域のリンク先URL５５がクリック操作されると、ステップＳ６のhttpリクエストが行われ、続いてステップＳ７の位置情報送信とステップＳ８の周辺店舗情報（広告情報）配信とが行われ、ステップＳ９のhttpレスポンスが行われる。すると、図２の画像２１Ｂの代わりに、今度は、図６の画像６２が携帯端末１２の画面２１に表示されることになる。
【００８０】
換言すると、図４の例のトップページの画像２１Ｂ１が携帯端末１２の画面２１に表示されている場合には、ユーザ１６によってMS領域のリンク先URL５５がクリック操作されることで、携帯端末１２の画面２１が、トップページの画像２１Ｂ１から図６の画像６２に遷移する。
【００８１】
この画像６２は、CP＆MS領域と、広告領域とから構成されている。CP＆MS領域はサービスIDで特定されるサービス事業者またはFNサーバ１３の管理者の支配下の領域である。即ち、MS領域は、サービスIDで特定されるサービス事業者またはFNサーバ１３の管理者の判断で画像の構成が変更可能な領域である。
【００８２】
具体的には例えば、携帯端末１２をR/W１１にかざして、その結果、周辺店舗情報（広告情報）を取得して使用したユーザ１６に対して景品を贈与する仕組みが、FNサーバ１３のサイトに組み込まれているとする。このため、図６の例では、かかる景品をユーザ１６が取得するための操作を行う画像がCP＆MS領域に含まれるように、画像６２が構成されている。
【００８３】
即ち、画像６２が携帯端末１２の画面２１に表示されている状態で、ユーザ１６によってCP＆MS領域の「プレゼントGETはこちらから!!!」というテキスト文章のうちの「こちら」の部分のリンク先URLがクリックされると、httpリクエストが行われる。
【００８４】
このとき、httpリクエストを送信してきた携帯端末１２は、景品を贈与すべき正当な端末であるか否かの認証処理がFNサーバ１３によって行われるとする。そして、景品を贈与すべき正当な端末である条件として、メッセージに含まれる非接触ICチップIDが正常であること、および、広告領域に含まれる１以上のリンク先URLがクリックされたことが規定されているとする。
【００８５】
この場合、上述の条件を何れも満たせば、認証処理が成功（OK）となり、FNサーバ１３は、景品の贈与を促す図７の画像６３を携帯端末１２に表示させるべく、httpレスポンスを行う。すると、携帯端末１２の画面２１が、図７の画像６２から画像６３に遷移する。なお、画像６３は、FNサーバ１３のサイト内の画像ではなく、外部サイトの画像であっても構わない。
【００８６】
これに対して、上述の条件のうちの「広告領域に含まれる１以上のリンク先URLがクリックされたこと」という条件が満たさなければ、認証処理が失敗（NG）となり、FNサーバ１３は、認証処理が失敗したことを示す図７の画像６４を携帯端末１２に表示させるべく、httpレスポンスを行う。すると、携帯端末１２の画面２１が、図７の画像６２から画像６４に遷移する。
【００８７】
また、上述の条件のうちの「メッセージに含まれる非接触ICチップIDが正常であること」という条件が満たさなければ、認証処理が失敗（NG）となり、FNサーバ１３は、認証処理が失敗したことを示す図７の画像６５を携帯端末１２に表示させるべく、httpレスポンスを行う。すると、携帯端末１２の画面２１が、図７の画像６２から画像６５に遷移する。
【００８８】
このように、図７は、FNサーバ１３のサイトの画面の遷移の一例を示している。図７において、第１の画像におけるリンク先URLから、第２の画像に引かれた矢印は、第１の画像におけるリンク先URLがクリックされた場合、携帯端末１２の画面２１が、第１の画像から第２の画像に遷移することを示している。
【００８９】
以上、図４乃至図７を参照して、FNサーバ１３のサイトの具体的な画面構成例について説明した。
【００９０】
次に、図８乃至図１６を参照して、図１の情報処理システムの各構成要素の詳細について説明していく。
【００９１】
図８は、R/W１１、即ちリーダ／ライタ装置１１の管理手法を説明する図である。
【００９２】
図８に示されるように、R/W１１は、パーソナルコンピュータ等で構成される管理装置７１が伝送媒体７２によって接続されると、管理装置７１によって管理が可能になる。なお、伝送媒体７２は、特に限定されず、例えばLANケーブルやシリアルケーブル等を採用することができる。
【００９３】
管理装置７２は、例えばFNサーバ１３の管理者等によって操作される。即ち、FNサーバ１３の管理者等は、管理装置２１を操作することで、R/W１１の設定やログの管理をすることが可能になる。具体的には例えば、メッセージに含める URL，R/WID，サービスIDの設定や、 RTC（時刻）の設定が可能になる。また例えば、ログ閲覧、 ログ吸い上げ （CSV形式）、 ログ初期化等のログ管理もできる。
【００９４】
次に、図９乃至図１２を参照して、携帯端末１２の詳細について説明する。
【００９５】
図９は、携帯端末１２の機能的構成例を示している。
【００９６】
携帯端末１２は、非接触ICカード１０２（以下、非接触IC１０２と適宜略記する）、コントローラ１０３、およびアプリケーションメモリ１０４を含むように構成されている。ここで、「含む」と記述した理由は、携帯端末１２には別の機能ブロックも構成要素として含まれる場合があるからである。即ち、例えば携帯端末１２が携帯電話として構成されている場合には、通信機能、音声／画像処理機能、表示機能等を実現する機能ブロックが構成要素として含まれ得るからである。
【００９７】
コントローラ１０３は、R/W１１から送信されたアプリケーションを指定する情報（以下、実行アプリケーション情報と適宜称する）を、非接触IC１０２を介して取り込んで 実行制御する。アプリケーションメモリ１０４は、LEDアプリケーションプログラム（LED：発光ダイオード）、Webブラウザのアプリケーションプログラム、音声制御や振動機能のアプリケーションプログラム（サウンド／バイブレーション）等の各種アプリケーションプログラムを記憶する。
【００９８】
コントローラ１０３は、オペレーションシステム機能（ＯＳ）、ディスクドライバ機能、およびアプリケーションマネージャ機能を有している。これら各機能は、例えはソフトウエアとして実現することが可能である。即ち、コントローラ１０３は、各ソフトウエアのプログラムに基づいて上述の各機能に対応する動作を行うことができる。
【００９９】
非接触IC１０２は、 R/W１１との間で非接触的な近距離通信を行う。
【０１００】
非接触IC１０２は、例えば図１０に示される構成を取ることができる。非接触IC１０２には、アンテナ１１１、RF（RF:Radio Frequency）１１２、揮発性メモリ１１３、制御部１１４、および不揮発性メモリ１２１が設けられている。
【０１０１】
アンテナ１１１は、R/W１１との間で非接触的な近距離通信がなされた情報の送受信を行。RF１１２は、アンテナ１１１を介して送受信される情報に対して各種情報処理を施す。揮発性メモリ１１３は、RF１１２からの情報を一時的に書き込む。即ち揮発性メモリ１１３は、いわゆるバッファメモリである。制御部１１４は、非接触IC１０２の全体の動作を制御する。
【０１０２】
また、非接触IC１０２には、送信端子１１５（Ｔｘ端子）、受信端子１１６（Ｒｘ端子）、および接地端子１１７（ＧＮＤ端子）が設けられている。送信端子１１５は、アンテナ１１１とRF１１２を介して送信されてくる情報が供給される端子である。受信端子１１６は、アンテナ１１１とRF１１２とを介して受信された情報が出力される端子である。
【０１０３】
また、非接触IC１０２には、制御部１１４の制御に基づいて、通信状態に応じて印加される電圧がハイレベル（Ｈ）とローレベル（Ｌ）との間で切り替わる端子１１８（ＩＢＯ３端子）、端子１１９（ＶＲＯ端子）、および端子１２０（ＰＰＯ_ＯＮ端子）が設けられている。
【０１０４】
具体的には、端子１１８は、R/W１１から特殊コマンドが受信された際に、制御部１１４の制御に基づいて、印加される電圧が「Ｈ」から「Ｌ」に切り替わるようになされている。また、端子１１９は、R/W１１との間で通信が開始されると、制御部１１４の制御に基づいて、印加される電圧が 「Ｈ」から「Ｌ」に切り替わるようになされている。また、端子１２０は、R/W１１から特殊コマンドが受信された際に、制御部１１４の制御に基づいて、印加される電圧が「Ｈ」から「Ｌ」に切り替わるようになされている。
【０１０５】
ここで、携帯端末１２の動作の一例について説明していく。
【０１０６】
まず、非接触IC１０２は、R/W１１との通信時には、R/W１１からの電力供給により動作し、コントローラ１０３との通信時には、コントローラ１０３からの電力供給により動作する。
【０１０７】
非接触IC１０２は、R/W１１から電力供給を受けている場合は、R/W１１のクロック周波数に基づいて通信を行い、コントローラ１０３から電力供給を受けている場合は、コントローラ１０３のクロック周波数に基づいて通信を行う。このR/W１１との通信時におけるクロック周波数と、コントローラ１０３との通信時におけるクロック周波数とは異なる。このため、この非接触IC１０２は、R/W１１との通信時には、コントローラ１０３との間の通信はできないようになっており、反対に、コントローラ１０３との通信時には、R/W１１との間の通信はできないようになっている。
【０１０８】
次に、非接触IC１０２は、R/W１１との通信時には、制御部１１４によって、端子１２０に印加される電圧がローレベル（Ｌ）に制御され、コントローラ１０３との通信時には、端子１２０に印加される電圧がハイレベル（Ｈ）に制御されるようになされている。
【０１０９】
また、非接触IC１０２は、R/W１１との通信時には、制御部１１４により、端子１１９に印加される電圧がローレベル（Ｌ）に制御され、コントローラ１０３との通信時には、端子１１９に印加される電圧がハイレベル（Ｈ）に制御されるようになされている。
【０１１０】
また、非接触IC１０２は、通常時の通信では、制御部１１４により、端子１１９に印加される電圧が、常時、ハイレベルに制御され、後述する「特殊コマンド」を受信した場合に、この端子１１９に印加される電圧がローレベルに制御されるようになされている。
【０１１１】
非接触IC１０２のこれら端子１１８，１１９，１２０は、それぞれコントローラ１０３と接続されている。コントローラ１０３は、各端子１１８，１１９，１２０に印加されている電圧のレベルに基づいて、非接触IC１０２の通信状態を認識するようになされている。
【０１１２】
なお、このように非接触IC１０２の通信対象が、R/W１１からコントローラ１０３或いはコントローラ１０３からR/W１１に変わることで、各端子 １１８，１１９，１２０に対する電圧の印加状態が変更制御される。なお、以下、非接触IC１０２とR/W１１との通信時における非接触IC１０２の通信状態（非接触IC１０２の各端子１１８，１１９，１２０に対する電圧の印加状態）を「第１の通信状態」と称し、非接触IC１０２とコントローラ１０３との通信時における非接触IC１０２の通信状態を「第２の通信状態」と称する。
【０１１３】
図１１は、「特殊コマンド」を用いない場合におけるR/W１１と携帯端末１２との間の通信動作を説明するためのシーケンス図である。
【０１１４】
図１１に示されるように、まず、R/W１１と携帯端末１２との間の距離が一定の距離以下となると（R/W１１に対して携帯端末１２がかざされて近接されると）、R/W１１からの電磁誘導により非接触IC１０２に対して電源供給が開始される。
【０１１５】
R/W１１からの電源供給が開始されると、制御部１１４が、端子１１９及び端子１２０に印加する電圧をそれぞれローレベルに下げ、非接触IC１０２の通信状態を「第１の通信状態」に遷移させる。
【０１１６】
そして、非接触IC１０２とR/W１１との間の距離が一定距離以上となるまでの間（R/W１１から携帯端末１２が遠ざかるまでの間）、非接触IC１０２に記憶されている情報（本実施の形態では非接触ICチップIDとして採用される非接触IC１０２の製造番号の他、残高情報等の各種情報）をR/W１１との間で送受信する。また、本実施の形態では、図３のメッセージが、R/W１１から非接触IC１０２に送信される。
【０１１７】
次に、非接触IC１０２とR/W１１との間の距離が一定距離以上となった場合（R/W１１から携帯端末１２が遠ざかった場合）、R/W１１からの電磁誘導により非接触IC１０２に対して電源が供給できない状態となる。非接触IC１０２の制御部１１４は、R/W１１からの電波のレベルを常時監視しており、R/W１１からの電波のレベルが所定レベル以下となった場合に、非接触IC１０２とR/W１１との間の距離が一定距離以上となったものと認識し、制御部１１４が、端子１１９及び端子１２０に印加する電圧をそれぞれハイレベルに上げ、非接触IC１０２の通信状態を「第２の通信状態」に遷移させる。
【０１１８】
なお、非接触IC１０２とR/W１１との間の距離が一定距離内であってもR/W１１からの制御（例えば搬送波の停止など）により「第２の通信状態」に遷移させてもよい。
【０１１９】
非接触IC１０２が、この「第２の通信状態」となると、非接触IC１０２に対してコントローラ１０３からの電源が供給され、コントローラ１０３との間の通信が可能となる。コントローラ１０３は、非接触IC１０２が「第２の通信状態」に遷移すると、非接触IC１０２と通信を行い、前述の第１の通信状態において、R/W１１から非接触IC１０２に取り込まれた情報の取り込みを行う。そして、コントローラ１０３は、この非接触IC１０２から取り込んだ情報に基づいて動作する。
【０１２０】
ここで、図１１のシーケンスでは、次のような問題が生ずる場合もある。
【０１２１】
即ち、R/W１１から非接触IC１０２に取り込まれた情報をユーザ１６がスムーズに利用するには、ユーザ１６が携帯端末１２の操作に精通している必要があ る。ユーザ１６が非接触IC１０２に取り込まれた情報を画面２１に表示させるアプリケーションを起動できない場合や、非接触IC１０２の利用の仕方を理解していないユーザ１６は、非接触IC１０２を有効に利用することができないおそれがある。
【０１２２】
また、携帯端末１２に対して所望の動作をさせるためには、携帯端末１２に設けられているキーの押下操作等の所定の操作を行って、携帯端末１２に操作内容を伝達するか、或いは、タイマ設定により、携帯端末１２側に所定の動作を自動的に行わせるといった手法しか採用できない。
【０１２３】
また、携帯端末１２に非接触IC１０２を設けた場合、画面２１に非接触IC１０２に記憶されている情報の内容を表示させる動作は可能である。ただし、かかる動作を行うためには、ユーザ１６が携帯端末１２をR/W１１に近接させ、何らかのアクションをとった後、携帯端末１２のキーの押下操作をする等してアプリケーションを起動させなければならない。即ち、携帯端末１２をR/W１１に近接させただけで、自動的に携帯端末１２側のアプリケーションを起動して動作させることはできない。
【０１２４】
そこで、携帯端末１２は、自身の非接触IC１０２と、R/W１１との間での通信中に、R/W１１から非接触IC１０２に対して「特殊コマンド」を送信させ、非接触IC１０２の通信状態を第１の通信状態から第２の通信状態に遷移させ、コントローラ１０３と非接触IC１０２との通信を可能とすることができる機能を有している。即ち、かかる通信機能が、上述した三者間通信機能である。かかる三者間通信機能の発揮により、R/W１１，非接触IC１０２及び内部のコントローラ１０３との間の通信に弾力性を持たせ、R/W１１からプッシュの形態で指定されたアプリケーションを携帯端末１２側でスムーズに起動して実行できるようになるのである。
【０１２５】
図１２は、三者間通信機能が発揮される場合の通信動作、即ち、「特殊コマンド」を用いた場合におけるR/W１１と携帯端末１２との間の通信動作を説明するためのシーケンス図である。
【０１２６】
図１２に示されるように、R/W１１に対して携帯端末１２が近接されると、上述の如く非接触IC１０２の端子１２０に印加される電圧が、制御部１１４によりローレベルとされ、非接触IC１０２は、第１の通信状態でR/W１１との間で通信を行う。
【０１２７】
この際、R/W１１は、携帯端末１２側で起動させるアプリケーションを指定する実行アプリケーション情報（データＰ）を非接触IC１０２に送信すると共に「特殊コマンドＡ」を非接触IC１０２に送信する。例えば図２の例と対応させるならば、実行アプリケーション情報（データＰ）として、Webブラウザを指定する情報が送信されることになる。
【０１２８】
また、図２の動作と対応させるならば、この際ステップＳ２の処理が実行され、本実施の形態では図３のメッセージが、R/W１１から非接触IC１０２に送信される。
【０１２９】
非接触IC１０２の制御部１１４は、R/W１１から送信された実行アプリケーション情報を揮発性メモリ１１３に記憶制御する。また、非接触IC１０２の制御部１１４は、R/W１１から「特殊コマンドＡ」を受信したタイミングで、端子１１９に印加する電圧を、ハイレベルからローレベルに制御して、非接触IC１０２の通信状態を第１の通信状態から第２の通信状態に遷移させる。
【０１３０】
上述のように、非接触IC１０２の端子１１８，１１９，１２０は、それぞれコントローラ１０３と接続されている。さらに具体的には、非接触IC１０２の端子１１８は、コントローラ１０３の割り込み端子に接続されている。
【０１３１】
このため、コントローラ１０３は、割り込み端子に印加される電圧がハイレベルとなったことを検出すると（＝非接触IC１０２の端子１１８のに印加される電圧がハイレベルとなったことを検出すると）、非接触IC１０２との通信を開始し、非接触IC１０２の揮発性メモリ１１３に記憶された実行アプリケーション情報（データ Ｐ）の送信リクエストを行う。
【０１３２】
非接触IC１０２の制御部１１４は、この送信リクエストを受信すると、揮発性メモリ１１３に記憶されている実行アプリケーション情報をコントローラ１０３に送信する。
【０１３３】
このようにコントローラ１０３により実行アプリケーション情報が取り込まれると、R/W１１から非接触IC１０２に対して「特殊コマンドＩＡ」の送信が可能となる。非接触IC１０２は、この「特殊コマンドＩＡ」を受信すると、端子１１８に対してハイレベルの電圧を印加する。これにより、「特殊コマンドＡ」 により一時的に形成した非接触IC１０２とコントローラ１０３との間の通信ラインをクローズする。
【０１３４】
なお、この例では、R/W１１から非接触IC１０２に特殊コマンドＩＡが送信された際に、非接触IC１０２の制御部１１４が端子１１８に印加する電圧をハイレベルとして、非接触IC１０２とコントローラ１０３との間の通信を終了させることとした。ただし、この例に限定されず、例えば、非接触IC１０２からコントローラ１０３に対して実行アプリケーション情報を送信した後に、端子１１８に印加する電圧をハイレベルとして、非接触IC１０２とコントローラ１０３との間の通信を終了させるようにしてもよい。また、携帯端末１２がR/W１１から遠ざかることで、R/W１１からの電波のレベルが所定レベル以下となったことを非接触IC１０２の制御部１１４が検出し、このタイミングで端子１１８に印加する電圧をハイレベルとして非接触IC１０２とコントローラ１０３との間の通信を終了させてもよい。これにより、「特殊コマンドＩＡ」の送受信行程を省略することができる。
【０１３５】
次に、コントローラ１０３は、上述のように実行アプリケーション情報の取り込みを行うと、図９のディスクドライバやアプリケーションマネージャに基づいて動作することで、実行アプリケーション情報に対応するアプリケーションプログラムをアプリケーションメモリ１０４から読み出し、この読み出したアプリケーションプログラムに対応するアプリケーションを実行制御する。図２の動作と対応させるならば、この一連の処理こそが、ステップＳ３の処理であり、Webブラウザが起動されることになる。
【０１３６】
次に、図１３乃至図１６を参照して、FNサーバ１３の詳細について説明する。
【０１３７】
図１３は、FNサーバ１３の構成例を示している。
【０１３８】
図１３において、CPU（Central Processing Unit）２０１は、ROM（Read Only Memory）２０２、または記憶部２０８に記憶されているプログラムに従って各種の処理を実行する。RAM（Random Access Memory）２０３には、CPU２０１が実行するプログラムやデータなどが適宜記憶される。これらのCPU２０１、ROM２０２、およびRAM２０３は、バス２０４により相互に接続されている。
【０１３９】
CPU２０１にはまた、バス２０４を介して入出力インタフェース２０５が接続されている。入出力インタフェース２０５には、キーボード、マウス、マイクロホンなどよりなる入力部２０６、ディスプレイ、スピーカなどよりなる出力部２０７が接続されている。CPU２０１は、入力部２０６から入力される指令に対応して各種の処理を実行する。そして、CPU２０１は、処理の結果を出力部２０７に出力する。
【０１４０】
入出力インタフェース２０５に接続されている記憶部２０８は、例えばハードディスクからなり、CPU２０１が実行するプログラムや各種のデータを記憶する。
【０１４１】
通信部２０９は、インターネットやローカルエリアネットワークなどのネットワークを介して外部の装置と通信する。
【０１４２】
本実施の形態では、通信部２０９は、携帯端末１２と通信する。また、通信部２０９は、広告情報提供サーバ１４と通信する。
【０１４３】
また、通信部２０９を介してプログラムを取得し、記憶部２０８に記憶してもよい。
【０１４４】
入出力インタフェース２０５に接続されているドライブ２１０は、磁気ディスク、光ディスク、光磁気ディスク、或いは半導体メモリなどのリムーバブルメディア２１１が装着されたとき、それらを駆動し、そこに記録されているプログラムやデータなどを取得する。取得されたプログラムやデータは、必要に応じて記憶部２０８に転送され、記憶される。
【０１４５】
図１４と図１５には、FNサーバ１３が有する機能が示されている。具体的には、FNサーバ１３の業務分類は、トランザクション業務と管理業務とに大別される。前者のトランザクション業務に関する機能が図１４に示されており、後者の管理業務に関する機能が図１５に示されている。
【０１４６】
トランザクション業務としては、図１４に示されるように、機能１−１乃至１−８が存在する。
【０１４７】
機能１−１とは、リクエスト受付機能およびブラウザ起動の機能である。具体的には、機能１−１とは、R/W１１からブラウザ起動のメッセージ送信を受けて、携帯端末１２からFNサーバ１３へ送られてきたリクエストを受け付ける、といった機能である。
【０１４８】
機能１−２とは、 TOP・広告画面作成機能＆レスポンス送信機能および3キャリアの機能である。具体的には、機能１−２とは、携帯端末１２から送られてきたリクエストに含まれるサービスIDをFNサーバ１３で持つ変換TBLを使って最適なメッセージ・ロゴ画像・リンク先URL、広告情報一覧をTOPページや広告ページに表示する、即ち、例えばトップページとして、上述の図４の画像２１Ｂ１または図５の画像２１Ｂ２を構成させる、といった機能をいう。
【０１４９】
機能１−３とは、R/W ID を位置情報に変換する機能である。具体的には、機能１−３とは、携帯端末１２から送られてきたリクエストに含まれるR/W IDをFNサーバ１３で持つ変換TBLを使って位置情報に変換する、といった機能をいう。例えば、位置情報は、「郵便番号又は住所又は緯度・経度」とすることができる。
【０１５０】
具体的には例えば、FNサーバ１３は、図１６に示されるようなデータベースを管理している。即ち、図１６のデータベースによって、複数のR/W１１毎に、管理番号、R/WID、サービスID、設置店舗、Zip（日本国の場合には郵便番号）、State（日本国の場合には都道府県）、City（日本国の場合には市町村）、およびAddress Line（日本国の場合には市町村以下の住所）が登録されて管理されている。そこで、FNサーバ１３は、かかるデータベースを用いて、携帯端末１２から送られてきたリクエストに含まれるR/W IDを特定し、特定されたR/WIDと同一行の「Zip」や「State,City,Address Line」そのものまたはそれらの加工情報を位置情報として解釈する、といった機能が機能１−３である。なお、「Zip」や「State,City,Address Line」そのものが、上述の「郵便番号又は住所」に対応する。一方、加工情報が「緯度・経度」に対応する。
【０１５１】
図１４に戻り、機能１−４とは、位置情報送信機能および広告配信サーバ（広告情報提供サーバ１４）との通信機能である。具体的には、機能１−４とは、位置情報を、広告配信サーバ、即ち、広告情報提供サーバ１４のインタフェース仕様に基づき、広告情報提供サーバ１４へ送信する、といった機能をいう。
【０１５２】
機能１−５とは、広告情報取得機能である。具体的には、機能１−５とは、広告情報提供サーバ１４に位置情報を送信して、そのレスポンスとして広告情報を受け取る、といった機能をいう。
【０１５３】
機能１−６とは、画面作成＆レスポンス送信機能および3キャリアのである。具体的には、機能１−６とは、広告情報提供サーバ１４から受け取った広告情報から、各携帯キャリアや機種に応じた画面、例えば上述の図５や図６の広告領域を含む画面を作成して、携帯端末１２へレスポンスを送る、といった機能をいう。
【０１５４】
機能１−７とは、広告クリック認証機能である。具体的には、機能１−７とは、広告クリック時に非接触ICチップIDと紐づいたクリック証明情報をFNサーバ１３に保存し、クリックした人のみデジタルコンテンツのダウンロードを実施できる、といった機能をいう。
【０１５５】
機能１−８とは、ログ格納機能である。具体的には、機能１−８とは、アクセスページログをDB（データベース）に格納する機能をいう。ここで、ログ内容としては、アクセスタイムスタンプ,アクセスページ,非接触ICチップID,RWID,サービスID,キャリア,ユーザエージェント・・・等が存在する。
【０１５６】
このようなトランザクション業務に対して管理業務としてFNサーバ１３が有する機能には、図１５に示されるような機能２−１乃至２−９が存在する。
【０１５７】
機能２−１乃至２−３とは、R/W管理機能である。
【０１５８】
具体的には、機能２−１とは、R/WID管理機能である。即ち、R/WIDと、サービス事業者が持つR/W１１と紐付けた情報の追加、変更、削除を行う機能が、機能２−１である。
【０１５９】
機能２−２とは、R/WIDから位置情報に変換する際のTBLを管理する機能である。即ち、R/WIDと位置情報の対応を紐付けた情報の追加、変更削除を行う機能、具体的には例えば上述した図１６のデータベースの更新作業を行う機能が、機能２−２である。
【０１６０】
機能２−３とは、R/WID広告情報提供IF（インタフェース）接続情報管理機能である。即ち、R/WIDごとに広告情報提供サーバ１４に接続するパラメータの登録、変更、削除を行う機能が、機能２−３である。
【０１６１】
機能２−４乃至２−６が、サービス事業者管理機能である。 
【０１６２】
具体的には、機能２−４とは、サービス事業者基本情報管理機能である。サービス事業者の社名などの基本情報の登録、変更、削除を行う機能が、機能２−４である。
【０１６３】
機能２−５とは、サービス事業者広告情報提供IF接続情報管理機能である。即ち、サービス事業者ごとに広告情報提供サーバ１４に接続するパラメータの登録、変更、削除を行う機能が、機能２−５である。
【０１６４】
機能２−６とは、サービスIDから広告掲載条件に変換するTBLを管理する機能である。即ち、サービスIDと広告掲載条件情報の対応を紐付けた情報の追加、変更、削除を行う機能が、機能２−６である。
【０１６５】
機能２−７乃至２−９が、ログ管理機能である。
【０１６６】
具体的には、機能２−７とは、ログ操作機能である。即ち、FNサーバ１３に出力されたログの検索、エクスポート、削除を行う機能が、機能２−７である。機能２−７の発揮により、ページ、日付、非接触ICチップID、サービスID、R/WID、キャリア、ステータス、機種名、広告ショップ名など各種条件での検索が可能となる。
【０１６７】
機能２−８とは、利用状況分析機能である。即ち、サービスの利用状況を、FNサーバ１３内で分析、及び、広告情報提供者（広告情報提供サーバ１４の管理者）やサービス事業者に提供するための件数計算を行う機能が、機能２−８である。機能２−８の発揮により、「ページ、日付、非接触ICチップID、サービスID、R/WID、キャリア、ステータス」での検索が可能になる。
【０１６８】
機能２−９とは、広告クリック集計機能である。即ち、広告情報提供者（広告情報提供サーバ１４の管理者）から受け取るフィー、FN（FNサーバ１３の管理者）からサービス事業者に再配分するフィーを算出するための件数計算を行う機能が、機能２−９である。より具体的には例えば、各広告コンテンツのクリック数をカウントする機能が、機能２−９である。機能２−９の発揮により、日付、サービスID、ティッカー、一般広告ごとの集計一覧が可能になる。
【０１６９】
次に、図１７乃至図１９を参照して、図１乃至図１５を用いて上述した情報処理システム、即ち、本発明が適用される情報処理システムの動作と、従来の動作との比較について述べる。
【０１７０】
はじめに、従来の動作として、既存の位置情報連携配信を採用した場合の比較について述べる。即ち、図１７が、既存の位置情報連携配信に必要な一連の動作を説明する図である。図１８が、図１７と比較するための図であって、本発明が適用される情報処理システムの一連の動作を説明するための図である。
【０１７１】
図１７に示されるように、既存の位置情報連携配信を行うためには、ステップＳ２１乃至Ｓ２７の工程が必要であった。
【０１７２】
即ち、ステップＳ２１において、ユーザは、従来の携帯端末を操作して、情報提供者のサイトに自らアクセスしていた。なお、情報提供者のサイトが、本発明が適用される情報処理システムのFNサーバ１３のサイトに対応する従来のサイトの一例である。これにより、従来の携帯端末の画面には例えば画像３０１が表示されることになる。そこで、ステップＳ２２において、ユーザは、従来の携帯端末を操作して、例えば「付近の地図」というメニューを選択してクリックする操作を行っていた。
【０１７３】
すると、ステップＳ２２において、従来の携帯端末は、位置情報取得指示を出していた。この間、従来の携帯端末の画面には、例えば画像３０２が表示されていた。
【０１７４】
ステップＳ２３において、従来の携帯端末は、GPS機能により位置情報を取得していた。このステップＳ２３が完了するまでには通常数十秒もの時間がかかり、この間、従来の携帯端末の画面には、例えば画像３０３が表示し続けていたことになる。
【０１７５】
ステップＳ２４において、従来の携帯端末は、確認完了のため、例えば画像３０４を画面に表示させていた。
【０１７６】
ステップＳ２５において、従来の携帯端末は、位置情報の送信許可をユーザに求めるべく、例えば画像３０５を画面に表示させていた。
【０１７７】
ユーザが、従来の携帯端末を操作して、画像３０５の「はい」という文字をクリックすると、従来の携帯端末は、位置情報を（従来の）広告情報提供サーバに送信していた。なお、「従来の」という語句をカッコ書きとした理由は、本発明が適用される情報処理システムの広告情報提供サーバ１４として、従来の広告情報提供サーバをそのまま適用できる可能性があるからである。
【０１７８】
（従来の）広告情報提供サーバは、位置情報に基づいて、周辺店舗広告情報（広告情報）を検索して、情報提供者のサーバに提供していた。情報提供者のサーバは、例えば画像３０６を生成してサイト（広告一覧）として、従来の携帯端末に送信していた。
【０１７９】
これにより、ステップＳ２７において、従来の携帯端末は、サイト（広告一覧）として、画像３０６を画面に表示させていた。
【０１８０】
このように、既存の位置情報連携配信を行うためには、ユーザは、ステップＳ２１乃至Ｓ２７の工程を進行させるために多くの煩雑なアクション（操作や作業）が必要であり、さらに、最終的な画像３０６を得るまでには数十秒以上も待たなければならない、といった問題が生じていた。
【０１８１】
これに対して、図１８に示されるように、本発明が適用される情報処理システムを用いることで、かかる問題を解決できるようになる。
【０１８２】
即ち、ステップＳ３１において、ユーザ１６は、決済や会員証等の用途（情報入手の用途でも可能）で、携帯端末１２をR/W１１にかざす。即ち、ステップＳ３１とは、上述した図２のステップＳ１に対応する。
【０１８３】
よって、その後、図２のステップＳ２，Ｓ３が実行されてブラウザが起動され、その結果、ステップＳ３２において、携帯端末１２は、情報の送信の許可を求める画像２１Ａを、画面２１に表示させる。なお、画像２１Ａとして、図１８の例の代わりに図２の例を採用しても構わない。
【０１８４】
ここで、FNサーバ１３のサイトのトップページの画像２１Ｂとして、図１８に示されるような広告領域を含む画像（図５の画像２１Ｂ２）が採用されているとする。
【０１８５】
この場合、ユーザ１６が、携帯端末１２を操作して画像２１Ａの「はい」という文字をクリックすると、携帯端末１２は、FNサーバ１３に対してhttpリクエストを送信する。
【０１８６】
上述した内容の繰り返しとなるが、かかるhttpリクエストが図２のステップＳ４のhttpリクエストであり、その後、先に、ステップＳ７の位置情報送信とステップＳ８の周辺店舗情報（広告情報）配信とが行われ、ステップＳ５のhttpレスポンスが行われる。
【０１８７】
すると、ステップＳ３３において、携帯端末１２は、図１８の画像２１Ｂを画面２１に表示させる。
【０１８８】
この場合、ステップＳ３１乃至Ｓ３３に要する時間は、最大でも数秒である。図１７のステップＳ２１乃至Ｓ２７に要する時間が数十秒かかることと比較すると、最終的な画像２１Ｂを得るまでのユーザ１６の待ち時間が圧倒的に短縮されていることがわかる。
【０１８９】
さらに、ユーザが最終的な画像２１Ｂを得るために行うアクション（操作や作業）は、携帯端末１２をR/W１１にかざすこと、および、画像２１Ａの「はい」をクリック操作すること、といったアクションだけで済む。即ち、従来より圧倒的に少ないアクションで、ユーザ１６は、最終的な画像２１Ｂを入手することができる。
【０１９０】
次に、図１９を参照して、既存の決済等他のサービスと連動させた場合の比較について述べる。即ち、図１９の左側の図が、本発明が適用される情報処理システムの広告情報等を得るサービスに対して既存の決済等のサービスと連動させた場合の動作のうち、ブラウザを起動させるまでの一連の処理の一例（以下、本実施形態の処理と称する）を説明するフローチャートである。
【０１９１】
図１９の中央の図、右側の図が、本実施形態の処理に対する従来の処理の２つの例のそれぞれを説明するフローチャートである。
【０１９２】
本実施形態の処理は、次のようなステップＳ４１乃至Ｓ４３よりなる。
【０１９３】
ステップＳ４１において、ユーザ１６は、決済の用途（なお、会員証やチケット等の用途でも可能）で、携帯端末１２をR/W１１にかざす。
【０１９４】
すると、ステップＳ４２において、決済処理が行われる。なお、決済処理は、R/W１１が行ってもよいし、FNサーバ１３が行ってもよいし、その他の決済専用のサーバ等が行ってもよい。
【０１９５】
ステップＳ４２の決済処理は、例えば、ステップＳ４２−１のカード存在確認処理、ステップＳ４２−２のIDや残高等読み取り処理、ステップＳ４２−３の残高加減算処理、および、ステップＳ４２−４のログ書き込み等処理から構成される。
【０１９６】
ステップＳ４２の決済処理が完了すると、図２のステップＳ２，Ｓ３と同様の処理が実行されて、ステップＳ４３において、ブラウザが起動される。
【０１９７】
これに対して、従来の処理（QRコードと併用した場合の従来の処理）は、次のようなステップＳ５１乃至Ｓ５５よりなる。
【０１９８】
ステップＳ５１，Ｓ５２は、ステップＳ４１，Ｓ４２に対応する工程である。また、ステップＳ５５は、ステップＳ４３に対応する工程である。
【０１９９】
即ち、従来の処理（QRコードと併用した場合の従来の処理）では、本実施形態の処理と比較して、QRコード読み取り機能を起動させるステップＳ５３、および、QRコードに近づけ、フレームを合わせて撮影するというステップＳ５４といった工程がさらに必要になる。
【０２００】
また、従来の処理（別R/Wと併用した場合の従来の処理）は、次のようなステップＳ６１乃至Ｓ６４よりなる。
【０２０１】
ステップＳ６１，Ｓ６２は、ステップＳ４１，Ｓ４２に対応する工程である。また、ステップＳ６４は、ステップＳ４３に対応する工程である。
【０２０２】
即ち、従来の処理（別R/Wと併用した場合の従来の処理）では、本実施形態の処理と比較して、従来の携帯端末を別の従来のR/WにかざすというステップＳ６３といった工程がさらに必要になる。
【０２０３】
以上の内容をユーザのアクションの視点から換言すると、従来では、携帯端末をR/Wにかざすといったアクションの他、さらに別のアクション、例えば、QRコードに近づけ、フレームを合わせて撮影するというアクションや、従来の携帯端末を別の従来のR/Wにかざすというアクションが必要であった。これに対して、本発明が適用される情報処理システムを利用するユーザ１６は、携帯端末１２をR/W１１にかざすというアクションをするだけで、ブラウザ起動までの間、別のアクションをする必要が無くなる。
【０２０４】
さらに言えば、図１９の従来の２つの処理を複合した処理、即ち、QRコードと別R/Wとを併用した場合の従来の処理も想定できる。或いはまた、図１９の従来の２つの処理の少なくとも一方と、その他の処理、例えば決済等の後にGPS機能を併用した場合の従来の処理も想定できる。かかる場合については、さらに、アクションが少なくなるという本実施の形態の処理の効果が顕著なものとなる。
【０２０５】
ところで、上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０２０６】
コンピュータにインストールされ、コンピュータによって実行可能な状態とされるプログラムを格納するプログラム記録媒体は、磁気ディスク（フレキシブルディスクを含む）、光ディスク（CD-ROM(Compact Disc-Read Only Memory),DVD(Digital Versatile Disc)を含む）、光磁気ディスク、もしくは半導体メモリなどよりなるパッケージメディアである図１３のリムーバブルメディア２１１、または、プログラムが一時的もしくは永続的に格納される図１３のROM２０２、図１０の不揮発性メモリ１２１、図示せぬR/W１１内のメモリ、図１３の記憶部２０８を構成するハードディスクなどにより構成される。プログラム記録媒体へのプログラムの格納は、必要に応じてルータ、モデムなどのインタフェースである図１３の通信部２０９や図１０のRF１１２等を介して、ローカルエリアネットワーク、インターネット、デジタル衛星放送といった、有線または無線の通信媒体を利用して行われる。
【０２０７】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【０２０８】
【図１】本発明が適用される情報処理システムの構成例を示すブロック図である。
【図２】図１の情報処理システムの動作の概略例を説明する図である。
【図３】メッセージの構成例を示す図である。
【図４】図１のFNサーバのサイトの画面構成例を示す図である。
【図５】図１のFNサーバのサイトの画面構成例を示す図である。
【図６】図１のFNサーバのサイトの画面構成例を示す図である。
【図７】図１のFNサーバのサイトの画面構成例を示す図である。
【図８】図１のR/Wとその管理装置との接続状態を示す図である。
【図９】図１の携帯端末の機能的構成例を示す機能ブロック図である。
【図１０】図９の非接触ICの構成例を示すブロック図である。
【図１１】図９の携帯端末の動作の一例を説明する図である。
【図１２】図９の携帯端末の動作の別の例を説明する図である。
【図１３】図１のFNサーバの構成例を示す図である。
【図１４】FNサーバの機能例を示す図である。
【図１５】FNサーバの機能例を示す図である。
【図１６】FNサーバが管理するR/Wのデータベースの例を示す図である。
【図１７】本発明と従来の動作を比較するための、従来の動作例を説明する図である。
【図１８】本発明と従来の動作を比較するための、本発明の動作例を説明する図である。
【図１９】本発明と従来の動作を比較するための、本発明の本実施形態の処理、および２つの従来の処理の一例を説明する図である。
【符号の説明】
【０２０９】
１１  リーダ／ライタ装置（R/W），  １２  携帯端末，  １３  FNサーバ，  １４  広告情報提供サーバ，  １６  ユーザ
【図１】
0005046916.tif 000002
【図２】
0005046916.tif 000003
【図３】
0005046916.tif 000004
【図４】
0005046916.tif 000005
【図５】
0005046916.tif 000006
【図６】
0005046916.tif 000007
【図７】
0005046916.tif 000008
【図８】
0005046916.tif 000009
【図９】
0005046916.tif 000010
【図１０】
0005046916.tif 000011
【図１１】
0005046916.tif 000012
【図１２】
0005046916.tif 000013
【図１３】
0005046916.tif 000014
【図１４】
0005046916.tif 000015
【図１５】
0005046916.tif 000016
【図１６】
0005046916.tif 000017
【図１７】
0005046916.tif 000018
【図１８】
0005046916.tif 000019
【図１９】
0005046916.tif 000020